(57)【要約】      （修正有）【課題】堅牢で、製造が簡単で、良好で安定したアンテナ特性を有するアンテナを提供する。【解決手段】アンテナにおいて、ハウジング３と、コア１．１、１．２と、コアの周りに巻かれたコイル２と、を備え、４０ショアＡより柔らかい注入物質５が、ハウジングとコイルを備えたコアとの間又はコアとコイルを備えたコア支持体（長手方向支持体４１、横支持体４２）との間に配置されている。【選択図】図４
2020174348.tif 000002
【特許請求の範囲】
【請求項１】
ハウジング（３）と、コア（１）と、コア（１）の周りに巻かれたコイル（２）とを備え、ハウジング（３）内に注入物質（５）内のコイル（２）を持つコア（１）が保管されているアンテナにおいて
注入物質（５）は４０ショアＡより柔らかいことを特徴とするアンテナ。
【請求項２】
注入物質（５）は３０ショアＡより柔らかい、請求項１に記載のアンテナ。
【請求項３】
コア（１）は複数のサブコア（１．１、１．２）を備え、複数のサブコア（１．１、１．２）は、第１サブコア（１．１）と第２サブコア（１．２）とを備える、請求項１又は２に記載のアンテナ。
【請求項４】
第１サブコア（１．１）は第１長手軸線を有し、第２サブコア（１．２）は第２長手軸線を有し、第１サブコア（１．１）及び第２サブコア（１．２）は、第２長手軸線が第１長手軸線の延長に延在するように配置されている、請求項３に記載のアンテナ。
【請求項５】
第１サブコア（１．１）は、第１長手軸線に直角な第１断面を有し、第２サブコア（１．２）は、第２長手軸線に直角な、第１断面に対応する第２断面を有し、
第１サブコア（１．１）及び第２サブコア（１．２）は、第１断面が第２断面と同一平面上に配置されるように配置されていることと、
第１サブコア（１．１）は、第１長手軸線全体に沿って同じ第１断面を有し、及び／又は第２サブコア（１．２）は、第２長手軸線全体に沿って同じ第２断面を有すること
との少なくとも一方である、請求項４に記載のアンテナ。
【請求項６】
第１サブコア（１．１）が第２サブコア（１．２）から距離を空けて配置されていて、当該距離によって形成されている隙間が注入物質（５）によって充填されている、請求項４又は５に記載のアンテナ。
【請求項７】
コア支持体（４）を有し、第１サブコア（１．１）及び第２サブコア（１．２）がコア支持体（４）に保持されている、請求項３から６のいずれか一項に記載のアンテナ。
【請求項８】
第１サブコア（１．１）は第１端部と第１端部の反対側の第２端部を有し、第２サブコア（１．２）は第１端部と第１端部の反対側の第２端部とを有し、
第１サブコア（１．１）の第１端部は第２サブコア（１．２）の第１端部の反対側に配置され、
コア支持体（４）は第１サブコア（１．１）の第２端部から第２サブコア（１．２）の第２端部まで延在する、請求項７に記載のアンテナ。
【請求項９】
コイルはコア支持体に巻き付けられ、好ましくは、コイルがサブコアの第２端部間の長さの８０％を超えて延在するように巻き付けられている、請求項７又は８に記載のアンテナ。
【請求項１０】
組み立てられたサブコア（１．１、１．２）及びコイル（２）を有するコア支持体キ（４）は、サブコア（１．１、１．２）と、コア支持体（４）とコイル（２）とがハウジング（３）内に注入物質（５）を注入される前に、第１のサブコア（１．１）と第２のサブコア（１．２）との少なくとも一方を、対応するサブコア（１．１、１．２）の長手方向軸の方向に移動させるように形成されている、請求項７から９のいずれか一項に記載のアンテナ。
【請求項１１】
組み立てられたサブコア（１．１、１．２）及びコイル（２）を持つコア支持体（４）は、サブコア（１．１、１．２）と、コア支持体（４）と、コイル（２）とが、ハウジング（３）内に注入物質（５）を注入される前に、第１サブコア（１．１）及び／又は第２サブコア（１．２）が対応するサブコア（１．１、１．２）の長手軸線の方向に対して直角に固定するように構成されている、請求項７から１０のいずれか一項に記載のアンテナ。
【請求項１２】
コア支持体（４）と、コイル（２）と、第１サブコア（１．１）と、第２サブコア（１．２）との少なくとも一つの位置が、注入物質（５）によってハウジング（３）内に固定されている、請求項７から１１のいずれか一項に記載のアンテナ。
【請求項１３】
車両を開くキーのデータと、車両を始動するキーのデータとの少なくとも一方を伝送するように形成されたアンテナを、車両にて使用する、請求項１から１２のいずれか一項に記載のアンテナ。
【請求項１４】
請求項１４に記載のアンテナを備える車両。
【請求項１５】
コイル（２）を巻き付けられたコア（１）を注入物質（５）によりハウジング（３）内に注入するステップと、
注入物質（５）を硬化させるステップと、備えるアンテナの製造方法において、
硬化させた注入物質（５）が４０ショアＡより柔らかいことを特徴とする、アンテナの製造方法。
【発明の詳細な説明】
【技術分野】
【０００１】
本発明は、アンテナに関し、特に、車両を開く及び／又は始動するためのキーデータの送信用に形成され、車両で使用するためのアンテナに関する。
【背景技術】
【０００２】
アンテナは通常、強磁性コアとコイルで構成されている。アンテナは通常、ハウジングに注入されている。送信周波数と帯域幅に応じて、コアとコイルを適切に設計する必要がある。アンテナの帯域幅は広くなっていて、例えば、ＵＷＢアンテナの場合、アンテナの範囲は拡大している。これは、例として、コアが一層長くなっていることを意味する。また、長いコアは短いコアよりも破損しやすく、製造コストが高くなる。
【０００３】
したがって、例えば、特許文献１、特許文献２、特許文献３で、上下に配置された複数のサブコアによってコアを形成することが知られている。これには、個々のサブコアの製造が容易であり、サブコアの破損しやすさが低下するという利点がある。ただし、複数のサブコアから形成されるコアの磁気特性は、衝撃や温度変動の影響を非常に受けやすく、これらのアンテナにはアンテナ特性の安定性にしばしば問題があることが示されてきた。
【０００４】
基本的には、衝撃をよりよく吸収し、それにより破損しやすさを低減する、より柔らかな注入樹脂を使用することは可能である。ただし、アンテナ部品の位置決めには厳しい品質要件があり、アンテナ部品の位置決めの許容誤差は非常に小さいため、アンテナの電気特性の安定性が損なわれないわけではない。それゆえ、注入物質が柔らかすぎないことが選択される。
【０００５】
特許文献４では代替的な取り組みが採用されている。ここでは、磁気繊維体が非磁性の柔軟な物質に埋め込まれているため、柔軟な磁性コアが作成される。ただし、これらの柔軟な磁性コアは、従来の（剛性）磁性コアよりも磁気特性が劣っている。
【先行技術文献】
【特許文献】
【０００６】
【特許文献１】米国特許第１００５６６８７号明細書
【特許文献２】欧州特許出願公開第１３９７８４５号明細書
【特許文献３】米国特許出願公開第２０１８／１５９２２４号明細書
【特許文献４】米国特許第１００６２４８４号明細書
【発明の概要】
【発明が解決しようとする課題】
【０００７】
本発明の課題は、堅牢で、製造が簡単で、良好で安定したアンテナ特性を有するアンテナを見出すことである。
【課題を解決するための手段】
【０００８】
本発明によれば、この課題は、独立請求項に記載のアンテナ及び当該アンテナの製造方法により達成される。
【０００９】
４０ショアＡよりも柔らかい注入物質５を使用すると、非常に優れた減衰のため、非常に堅牢なアンテナが作成される。驚くべきことに、アンテナの特性も非常に安定している。これはおそらく、より硬い注入物質５の場合、衝撃により注入物質５又は位置決め手段の破損を生じて、そのためアンテナ又はアンテナ部品の永久的な不正確な位置決めとなったからである。非常に柔らかい注入物質を使用しているため、注入物質内のアンテナ部品の変位は非常に短く、アンテナ部品は元の同じ場所に戻る。本発明によれば、アンテナの長期安定性を改善するために、指定された公差のわずかな超過は許容される。したがって、非常に柔らかい注入物質は、非常に優れた電気特性を持つ非常に堅牢なアンテナを作成する。
【００１０】
代替的に、この課題は、コアと、コアの周りに巻かれたコイルとを有し、次の特徴の１つ又は組み合わせを備えるアンテナによってさらに達成される。このアンテナには、注入物質なしとしてもよく、又はより硬い注入物質を使用してもよい。
さらなる有利な実施形態は、従属請求項に明記されている。
【００１１】
一実施形態では、注入物質は、３５ショアＡよりも柔らかく、好ましくは３０ショアＡよりも柔らかく、好ましくは２７ショアＡよりも柔らかく、好ましくは２５ショアＡよりも柔らかい。注入物質のこの硬度は、破壊に対する安定性と電気的値の安定性に対してさらに優れた値を与える。一実施形態では、注入物質は１０ショアＡよりも硬く、好ましくは１５ショアＡである。この１０又は１５ショアＡを超える範囲では、破壊に対する安定性と電気的安定性の間の最適化されたものが達成される。
【００１２】
一実施形態では、コアは複数のサブコアを有し、複数のサブコアは第１サブコアと第２サブコアを有する。複数のサブコアは、コアの製造を簡単にし、破壊安定性を改善する。特にサブコアを備える実施例にとって、柔らかな注入物質は有利である。柔らかな注入物質は、衝撃後の２つのサブコアの相対位置への影響が少ないため、アンテナの電気的変数への影響が少ないことがわかった。一実施形態では、第１サブコアは、第２サブコアから距離を置いて配置される。これは、柔らかい注入物質と組み合わせて特に有利であることが証明された。柔らかい注入物質により、衝撃を受けたときにサブコアが特定の動きの自由度を持つことができる。サブコアが互いに接触すると、衝撃が第１サブコアから第２サブコアに伝達されるため、柔らかい注型化合物にもかかわらずサブコアが破損する可能性が高くなる。これは、サブコア間の隙間によって回避される。サブコアが接触する場合、コア全体の磁気特性は、２つのサブコアが一緒に押される力に大きく依存する。柔らかい注入物質により、２つのサブコアの接触圧力が大幅に変化し、サブコアの分離に至る可能性さえある。接触圧力のこの変動は、振動、衝撃、又は温度の変動によっても引き起こされる可能性がある。これは、アンテナの大きな電気的不安定性につながるが、望ましくない。したがって、複数のサブコアと組み合わせて柔らかい注入物質を使用する場合、サブコア間に隙間を使用することが特に有利である。これにより、アンテナの熱的及び電気的安定性が大幅に向上する。一実施形態では、距離によって形成される隙間は、注入物質によって満たされる。したがって、サブコア間の注入物質は緩衝部としても機能し、サブコア間の熱を残りの注入物質にも伝導する。
【００１３】
一実施形態では、第１サブコアは第１長手軸線を有し、第２サブコアは第２長手軸線を有する。一実施形態では、第１サブコア及び第２サブコアは、第２長手方向軸線が第１長手方向軸線の延長に延在するように配置される。一実施形態では、第１サブコアは、第１長手方向軸線に直角に第１断面を有し、第２サブコアは、第２長手方向軸線に直角に第２断面を有する。
一実施形態では、第２断面は第１断面に対応する。一実施形態では、第１断面が第２断面と同一平面上に配置されるように、第１サブコア及び第２サブコアが配置される。一実施形態では、第１サブコアは、第１長手軸線全体に沿って同じ第１断面を有する。一実施形態では、第２サブコアは、第２長手軸線全体に沿って同じ第２断面を有する。
【００１４】
一実施形態では、第１サブコアは、第１端部と、第１端部の反対側の第２端部とを有する。一実施形態では、第２サブコアは、第１端部と、第１端部の反対側の第２端部とを有する。一実施形態では、第１サブコアの第１端部は、第２サブコアの第１端部の反対側に配置される。
【００１５】
一実施形態では、アンテナはコア支持体を有する。コア支持体により、電気的安定性に望ましいコアの特定の動きを防止し、電気的安定性及び破壊安定性に望ましい他の動きを許容する。一実施形態において、コア支持体は、第１及び第２サブコアを担持する。コア支持体は、２つのサブコア、特に隙間のあるコアを備えた例示的な実施形態に特に有利である。
【００１６】
一実施形態では、コア支持体は、第１サブコアの第２端部から第２サブコアの第２端部まで延在する（例えば、コア１の長さの最大１０％、好ましくは最大５％までのサブコアの突端を除く）。これにより、サブコアをコア１の長さにわたってしっかりと保持できるようになる。
【００１７】
一実施形態では、コイルはコア支持体に巻かれている。これには、コイルの巻き付け中にサブコアが安定に保たれるという有利点がある。一実施形態では、コイルは、サブコアの第２端部間の長さの８０％を超えるように巻かれる。
【００１８】
一実施形態では、サブコア、コア支持体、及びコイルが注入物質とともにハウジングに注入される前に、コア支持体は、第１サブコア及び／又は第２サブコアを、アセンブリ用コア支持体の対応するサブコアの長手軸線の方向に挿入するように形成されている。
【００１９】
一実施形態では、サブコアと、コア支持体とコイルとが注入物質とともにハウジングに注入される前に、組み立てられたサブコアを持つコア支持体とコイルとが形成され、第１サブコア及び／又は第２サブコアは、対応するサブコアの長手軸線の方向において移動されるように形成されている。
【００２０】
一実施形態では、サブコア、コア支持体、及びコイルが注入物質とともにハウジング内に注入される前に、コア支持体とコイルとが作られ、第１サブコア及び／又は第２サブコアは、対応するサブコアを固定するべく、対応するサブコアの長手軸線に垂直に置かれる。
【００２１】
一実施形態では、コア支持体、コイル、第１サブコア及び／又は第２サブコアの位置は、注入物質によってハウジング内に固定される。
【００２２】
一実施形態では、アンテナは、車両での使用するためと、車両を開く及び／又は始動するためとの少なくとも一方のキーデータの送信用に形成される。
【００２３】
一実施形態では、車両は上述のアンテナを備える。
【００２４】
本発明は、添付の図面を参照してより詳細に説明される。
【図面の簡単な説明】
【００２５】
【図１】ハーフカットしたハウジングと注入物質を備えたアンテナの第１実施形態の立体図である。
【図２】ハウジング及び注入物質のないアンテナの第１実施形態の立体図である。
【図３】コア支持体、ハウジング、注入物質のないアンテナの第１実施形態の立体図である。
【図４】第１実施形態によるアンテナを通る第１断面図である。
【図５】第１実施形態に係るアンテナの平面図である。
【図６】線Ｄ−Ｄに沿った、第１実施形態によるアンテナの第２断面図である。
【図７】線Ｅ−Ｅに沿った、第１実施形態によるアンテナの第２断面図である。
【図８】図１の断面Ｆの拡大図である。
【発明を実施するための形態】
【００２６】
図１から図８は、本発明の一実施形態を示す。アンテナは、コア１と、コイル２と、ハウジングと、コア支持体４と、注入物質５とを備える。
【００２７】
コア１は磁性コアである。コア１は、好ましくは、長手方向軸に沿って延在する。コア１は、好ましくは、他の方向や軸線（長手軸線に垂直）よりも長手軸線の方向により長い。コア１は磁性材料で作られている。コアは、好ましくは、フェライト材料（フェライト材料）又は粉末材料（粉末コア）、例えばフェライト材料でできている。磁性材料手段とは、材料が少なくとも常磁性、好ましくは強磁性であることを意味する。磁性コア１は、硬質材料で作られている。すなわち、磁性コア１は弾性的でも柔軟でもない。磁性コア１は、好ましくは、長方形の断面を有する。
【００２８】
磁性コアは、好ましくは、複数のサブコア１．１及び１．２からなる。上記のコア１の材料特性は、各サブコア１．１、１．２に応じて適用される。同じ磁性材料は、好ましくは、異なるサブコア１．１及び１．２に使用される。複数のサブコア１．１及び１．２は、第１サブコア１．１及び第２サブコア１．２を備えた少なくとも２つのサブコア１．１及び１．２を有する。第１サブコアは第１長手軸線を有する。第２サブコアは第２長手軸線を有する。第１サブコア１．１及び第２サブコア１．２は、好ましくは、第２長手軸線が第１長手方向軸の延長に延在するように配置される（したがって、第１長手軸線及び第２長手軸線はコア１の長手軸線を形成する）。これは、第１長手軸線及び第２長手軸線が互いに対してねじれていないことと、０°又は１８０°に配置されることと、平行か、同軸か、互いに重なり合っていることとの少なくともいずれかを意味する。第１サブコア１．１は、第１端部と、第１端部の反対側の第１端部（第１長手軸線の方向）を有する。第２サブコア１．２は、第１端部と、第１端部の反対側の第２端部（第２長手軸線の方向）を有する。第１サブコア１．１の第１端部は、好ましくは、第２サブコア１．２の第１端部の反対側に配置される。したがって、第１サブコア１．１の第２端はコア１の第１端を形成し、コア１が２つのサブコア１．１、１．２から構成される場合、第２サブコア１．２の第２端はコア１の第２端を形成する。第１サブコア１．１は、第１長手方向軸に対して直角の第１断面を有する。第２サブコア１．２は、第２長手方向軸に対して直角の第２断面を有する。第２断面は、好ましくは第１断面に対応する。第１サブコア１．１及び第２サブコア１．２は、好ましくは、第１サブコア１．１の第１断面が第２サブコア１．２の第２断面と同一平面に配置されるように配置される。これは、第２サブコア１．２が第１又は第２長手軸線で第１サブコア１．１の延長を形成することを意味し、両方のサブコア１．１は同軸に配置された長手軸線と同じ断面（非回転対称断面の場合に配置されて断面が完全に重なる）。第１サブコア１．１は、好ましくは、第１長手軸線全体に沿って同じ第１断面を有する。第２サブコア１．２は、好ましくは、第２長手軸線全体に沿って同じ第２断面を有する。第１サブコア１．１と第２サブコア１．２は同一であることが好ましく、それにより同じ部分を両方のサブコア１．１、１．２に使用してもよい。第１サブコア１．１は、好ましくは、第２サブコア１．２から距離を置いて配置される。これにより、最初のサブコア１．１と２番目のサブコア１．２の間に隙間が生じる。第１サブコア１．１と第２サブコア１．２との間の距離は、好ましくは０．１ｍｍよりも大きく、好ましくは０．３ｍｍよりも大きく、好ましくは０．５ｍｍよりも大きく、好ましくは１ｍｍよりも大きい。大きすぎる隙間は２つのサブコア１．１、１．２間の磁力線に悪影響を与える可能性があるため、隙間は、好ましくは１０ｍｍ未満、好ましくは７ｍｍ未満、好ましくは５ｍｍ未満である。
【００２９】
コイル２はコア１に巻回されている。コイル２は、好ましくはコア１の周りに複数の巻きを有し、好ましくは２つより多く、好ましくは５つより多く、好ましくは１０より多く、好ましくは１５より多く、好ましくは２０より多くの巻きを有する。コイル２は、好ましくは、コア１の第１端部又は第１サブコア１．１の第２端部からコア１の第２端部又は第２サブコア１．２の第２端部まで延在し、コア１の第１端部又は第１サブコア１．１の第２端部の方向でのコイル２の最後の巻回と、コイル１の第２端部又は第２サブコア１．２の第２端部の方向でのコイル２の最後の巻回との間の領域は、コア１又は２つのサブコア１．１、１．２の長手方向の延長の、少なくとも７０％、好ましくは７５％、好ましくは８０％を、なしていることが好ましい。コイル２は、好ましくは、サブコア１．１、１．２の両方にわたって延在する。コイル２は、好ましくは、サブコア１．１、１．２の両方にわたって延在する。コイル２又はコイル２のコイル線は、好ましくはコア支持体４に巻き付けられる。しかしながら、コイル２又はコイルワイヤ（コア支持体４なし）をコア１に直接巻き付けてもよい。コイル２は、好ましくは、コア１又はコア支持体４の周りに巻かれたコイルワイヤを有する。コイルワイヤは好ましくは絶縁されている。ただし、コイルワイヤは非絶縁であってもよい。しかし、その後、交差する際にワイヤ同士が接触しないように、またコア１に接触しないように注意しなければならない。コイルワイヤは、好ましくは、コイルワイヤの両端がコア１の一端でアンテナの端子に接続されるように巻かれる。示された実施形態では、コイル２はコア１の第１端からコア１の第２端まで一方向に巻かれ、その後、コイルワイヤはコア１の第２端からコア１の第１端に向けて戻される（コア１の周りに巻かれることなく）。しかしながら、最初にコイルワイヤをコア１の第１端からコア１の第２端に（コア１の周りに巻回せず）導いてから、一方向で覆うべくコア１の第２端からコア１の第１端に巻いていくようにしてもよい。コイル線を両方向に巻いてもよい（交差巻き）。
【００３０】
コア支持体４は、コア１を保持／保持するように形成されている。これは、樹脂注入の前にアンテナを組み立てる場合に特に重要であり、アンテナが封入される前に全てのアンテナ部品が正しい位置に保持される。したがって、以下で説明するコア支持体４の機能は、特に明記しない限り、アンテナの樹脂注入する前の状態に関するものである。コア支持体４は、好ましくはコイル２を担持するように形成される。コア支持体４は、好ましくはコア１が保持される内部開口部を有する。コア支持体４は、好ましくはコイル２が巻かれる外面を有する。コア支持体４は、複数のサブコア１．１、１．２を備えた例示的な実施形態に特に有利である。コア支持体４は、サブコア１．１、１．２の位置を互いに（少なくとも一方向に）固定することが好ましい。コア支持体４は、好ましくは、コア１又はサブコア１．１、１．２に対して垂直になるようにサブコア１．１、１．２を固定する（少なくとも一方向、好ましくは全ての方向で、長手軸を中心に放射状に３３０°、好ましくは３５０°、好ましくは長手軸線の半径方向の全ての方向で）。好ましくは、２つのサブコア１．１、１．２がコア支持体４に取り付けられ、コイル２がコア支持体４上のコア１の周りに巻かれている場合、２つのサブコア１．１、１．２の少なくとも１つ（又は両方）は長手軸線の方向に移動可能である。そのため、２つのサブコア１．１、１．２間の距離を調整することで、樹脂注入の前に組み立てられたアンテナを微調整して、目的のアンテナ特性を達成できる。しかしながら、２つのサブコア１．１、１．２が完全に固定され、サブコア１．１、１．２が（絶対的及び／又は互いに対して）位置を移動できないようにしてもよい。サブコア１．１、１．２は、好ましくは、組み立てるために、コア１又はサブコア１．１、１．２の長手軸線の方向に導入される。これにより、サブコア１．１、１．２が互いに対して安定して配置され、それでも互いに対して軸方向に移動可能となる。しかしながら、サブコア１．１、１．２を異なる方法でコア支持体４に挿入してもよい。コア支持体４は、好ましくは、第１サブコアの第２端部から第２サブコアの第２端部まで延在する。これにより、サブコア１．１、１．２の安定した取り付けが可能になる。これは、製造中の位置決めに有利であり、使用中の封入サブコア１．１、１．２も安定させる。図示の例示的な実施形態では、コア支持体４は、少なくとも１つ、好ましくは２つの平行な長手方向支持体４１（コア１の長手軸線の方向に延在する）を有する。コア支持体４は、好ましくは、コア１の長手軸線に対して半径方向にサブコア１．１、１．２の移動を防止や阻止する複数の横支持体４２を有する。コイル２の巻き付けは、好ましくは、横支持体４２の領域で中断されている。特に、横支持体４２はそれぞれ２個の縦支持体４１を結合する。説明のために、コア１の４つの側面（コア１の長手軸線に垂直）が、上側（又は第１側）、下側（又は第２側）及び２つの側部（第３及び第２側面）として用いられるが、本発明をアンテナの特定の向きに限定するものではない。好ましくは、上側及び下側は互いに対向していることと、２つの側面が互いに対向していることとの、少なくとも一方である。��ましくは、コア１の上側が当接する上部横支持体４２がある。好ましくは、コア１の下側が当接する下部横支持体４２がある。２つの縦支持体は、好ましくは、コア１の２つの側面に配置され、コア１の２つの横側面が２つの縦支持体に当接する。コア支持体４は、好ましくは、コア支持体４が（コア１及びコイル２とともに）ハウジング３に取り付けられたときにハウジング３の開口部を閉じるように形成された閉鎖領域４３を一端に有する。閉鎖領域４３は、コア支持体４の残りの部分と一体に形成してもよい。しかしながら、閉鎖領域４３と残りのコア支持体４を別個の部品で構成してもよい。閉鎖領域４３は、好ましくは、アンテナ、特にコイル２の電気接続のための接続を有する。接続は、好ましくは、閉鎖領域４３を通って延在する２つの導電性ロッドを有する。各導電性ロッドの片側は、外側の閉鎖領域４３から突出しているため、完成したアンテナは電気的に接続可能である。各導電性ロッドの反対側は閉鎖領域４３の内側に突出し、コイル２又はコイルワイヤの端部はそれぞれ、これらの導電性ロッドの１つ（内側）に接続されている。コア支持体４は、好ましくは、ハウジング３への組み立て後にコア支持体４が所定の位置を有するように形成される。アンテナの片側では、これは、例えば、閉鎖領域４３をハウジング３の開口部に配置することにより解決される。コア支持体４は、好ましくは、コア支持体４がハウジング３に取り付けられたときにコア支持体４を所定の位置に保持する位置決め手段４４も有する。位置決め手段４４は、好ましくは、閉鎖領域４３とは反対側のコア支持体４の領域に配置される。位置決め手段４４は、好ましくは弾性であり、位置決め手段４４は所定の位置を画定するが、振動又は衝撃の場合に所定の位置からはずれるようになっている。位置決め手段４４は、好ましくは、ハウジング３の内壁を押圧し、したがって、ハウジング３内のコア支持体４を所定の位置にする可撓性又は弾性の腕部４４を有する。これは、図６及び図７の断面Ｄ−Ｄ及びＥ−Ｅに示されている。コア支持体４は、好ましくはプラスチック製である。
【００３１】
ハウジング３は、コア１をコイル２で囲むように形成されている。ハウジング３は、好ましくは、コア支持体４をコア１及びコイル２で囲むように形成される。ハウジング３は、好ましくは、コイル２を備えたコア１、又はコア１及びコイル２を備えたコア支持体４をハウジング３に挿入するように形成された開口部を有する。開口部は、好ましくは、挿入された状態のコア支持体４によって閉じられている。しかしながら、別のカバーで開口部を閉じるようにしてもよい。
【００３２】
注入物質５は、ハウジング３とコイル２を備えたコア１との間、又はコア１とコイル２を備えたコア支持体４との間に配置されている。コイル２を備えたコア１、又はコア１とコイル２を備えたコア支持体４は、ハウジング３に挿入され、注入物質５を注入される。注入物質５は、しばしばポッティングと呼ばれる。注入物質５は、好ましくは、ハウジング３内の、好ましくは全ての隙間を充填し、その結果、コア１と、コイル２と、コイル２を有するコア１又はコア１を有するコア支持体４とから熱が効果的に放散されて、コイル２は安定して格納される。本発明によれば、（硬化状態で）４０ショアＡ、好ましくは３５ショアＡ、好ましくは３０ショアＡ、好ましくは２７ショアＡ、好ましくは２５ショアＡよりも柔らかい、注入物質５が使用される。４０ショアＡよりも柔らかいか、又は言及された好ましい値である注入物質５は、破壊に対する安定性を改善するだけでなく、驚くべきことにアンテナの電気的値の安定性も改善することがわかった。（硬化状態の）注入物質５は、好ましくは１０ショアＡよりも硬く、好ましくは１５ショアＡより硬い。１０から４０ショアＡの間の変形を持つ注入物質５が特に有利であるとわかった。
【００３３】
アンテナを製造するには、まずコア１が場合によっては、サブコア１．１、１．２といっしょにコア支持体４に取り付けられる。コイル２は、コア支持体４又はコア１に巻かれている。コイルワイヤはアンテナコネクタに接続されている。コイル２を備えたコア１、又はコア１とコイル２を備えたコア支持体４がハウジング３に挿入される。コイル２を備えたコア１又はコア１とコイル２を備えたコア支持体４は、ハウジング３内に注入物質５を注入される。その後、注入物質５が硬化し、アンテナはできあがる。
【図１】
2020174348.tif 000003
【図２】
2020174348.tif 000004
【図３】
2020174348.tif 000005
【図４】
2020174348.tif 000006
【図５】
2020174348.tif 000007
【図６】
2020174348.tif 000008
【図７】
2020174348.tif 000009
【図８】
2020174348.tif 000010
【外国語明細書】
2020174348000001.pdf